(57)【要約】【課題】道路におけるガス管工事領域を小さくし、交通規制の緩和及び工事費の削減を図ることが可能なガス圧監視装置及びガス配管網の工事方法を提供する。【解決手段】本発明のガス圧監視装置１０は、ガス配管網５０のうち遮断部４６の両側の１対のガス管末端部４７，４７に両端部が連結されるバイパス管２１を備えている。また、バイパス管２１の途中に常閉の手動バルブ２４と電動バルブ２５とを並列に配置して備えている。そして、１対のガス管末端部４７，４７内の各ガス圧を１対の圧力センサ２７，２７で検出し、それらのうち何れかのガス圧が予め定められた基準値を超えて低下した場合に、電動バルブ２５を開いてバイパス管２１を開通させるようになっている。【選択図】図３
2010096226.tif 000002
【特許請求の範囲】
【請求項１】
ガス配管網のうち工事のために遮断される遮断部の両側の各ガス圧を監視するためのガス圧監視装置であって、
前記ガス配管網のうち前記遮断部の両側の１対のガス管末端部に両端部が連結されて、それら１対のガス管末端部を連通可能なバイパス管と、
前記バイパス管に設けられ、通常は閉じて前記バイパス管を遮断している電動バルブと、
前記１対のガス管末端部内の各ガス圧を検出するための１対の圧力センサと、
前記１対の圧力センサの何れかで検出したガス圧が予め定められた基準値を超えて低下した場合に、前記電動バルブを開いて前記バイパス管を開通させるバルブ制御部とを備えたことを特徴とするガス圧監視装置。
【請求項２】
前記バイパス管の中間部分に１対の分岐管を並列に設けて、一方の前記分岐管に前記電動バルブを配置する一方、他方の前記分岐管に通常は閉じている手動バルブを設け、
前記ガス圧が前記基準値を超えて低下したことを報知するガス圧低下報知手段を備えたことを特徴とする請求項１に記載のガス圧監視装置。
【請求項３】
前記バルブ制御部と前記ガス圧低下報知手段とを一体化したコントローラユニットと、前記バイパス管に前記圧力センサと前記電動バルブとを一体化したバイパス管ユニットとを別々に設けて、それらコントローラユニットとバイパス管ユニットとの間をケーブルで連絡したことを特徴とする請求項２に記載のガス圧監視装置。
【請求項４】
前記基準値を任意の値に設定するための基準値設定手段を備えたことを特徴とする請求項１乃至３の何れかに記載のガス圧監視装置。
【請求項５】
ガス配管網を構成するガス管を所定の工事施工範囲に亘って遮断して工事を行う工事実施工程の前に、前記工事施工範囲全体より短い前記工事施工範囲の一部で前記ガス管を遮断して、その遮断部の両側に位置した１対のガス管末端部に、請求項１乃至４の何れかに記載のガス圧監視装置における前記バイパス管の両端部を連結し、予め設定した調査期間に亘って前記１対のガス管末端部の何れかのガス圧が前記基準値を超えて低下するか否かの事前調査を行い、
前記調査期間中に前記ガス圧が前記基準値を超えて低下した場合にのみ、前記工事実施工程の実施中に、前記ガス配管網のうち前記工事施工範囲を間に挟んだ２位置を代替ガス管で常時連通させることを特徴とするガス配管網の工事方法。
【請求項６】
ガス配管網を構成するガス管を所定の工事施工範囲に亘って遮断して工事を所定の工事実施期間に亘って行うと共に、工事開始時に、前記工事施工範囲の両側に位置した１対のガス管末端部に、請求項１乃至４の何れかに記載のガス圧監視装置における前記バイパス管を一部に含んだ代替ガス管の両端部を連結し、工事開始時から前記工事実施期間の途中までに設定した調査期間に亘って、前記１対のガス管末端部の何れかのガス圧が前記基準値を超えて低下するか否かの調査を行い、
前記調査期間中に前記ガス圧が前記基準値を超えて低下した場合に、前記調査期間後、前記工事実施期間の終了まで、前記代替ガス管で常時開通させる一方、前記調査期間中に前記ガス圧が前記基準値を超えて低下しなかった場合に、前記調査期間後、前記工事実施期間の終了まで、前記代替ガス管を撤去した状態で工事を行うことを特徴とするガス配管網の工事方法。
【発明の詳細な説明】
【技術分野】
【０００１】
本発明は、ガス配管網のうち工事のために遮断される遮断部の両側の各ガス圧を監視するためのガス圧監視装置及び、そのガス圧監視装置を用いたガス配管網の工事方法に関する。
【背景技術】
【０００２】
従来、ガス配管網の一部を遮断して工事を行う場合に、例えば、５〜２０［ｍ］の工事施工範囲の両端部を遮断し、その遮断部を間に挟んだ２位置の間を代替ガス管でバイパスしていた。これにより、ガス配管網に連なる住居、工場等のガス器具でガスを使用することが可能になっていた（例えば、特許文献１参照）。
【特許文献１】特開平９−２０３４８２号公報（段落［０００１］，［０００２］、第８図）
【発明の開示】
【発明が解決しようとする課題】
【０００３】
ところで、ガス配管網は、文字通り、ガス管が網の目のように接続されて互いに連通している。また、ガス配管網に連なる各ガス器具におけるガス使用量及びガス管の管径等は、ガス配管網の部位によって異なる。さらに、ガス配管網におけるある部位では、例えば複数のガス管から１つのガス管にガスが流れ、また、別のある部位では、１つのガス管から複数のガス管にガスが流れる等、ガスの流れも様々である。そして、ガス配管網の一部を遮断してもその遮断部の両側で通常通りガスを使用することができる部位も存在し、そのような部位では、遮断部の両側を上記代替ガス管でバイパスせずに、工事を行うことができる。
【０００４】
ここで、代替ガス管は設置しない方が好ましく、設置した場合にはその設置期間は短い方が好ましい。なぜなら、ガス管は通常、道路に沿って埋設されている場合が多く、代替ガス管を設置すると、ガス管工事領域の幅が広がり、安全柵も増え、工事費が増すと共に道路の交通規制も大規模になるからである。
【０００５】
本発明は、上記事情に鑑みてなされたもので、道路におけるガス管工事領域を小さくし、交通規制の緩和及び工事費の削減を図ることが可能なガス圧監視装置及びガス配管網の工事方法の提供を目的とする。
【課題を解決するための手段】
【０００６】
上記目的を達成するためになされた請求項１の発明に係るガス圧監視装置は、ガス配管網のうち工事のために遮断される遮断部の両側の各ガス圧を監視するためのガス圧監視装置であって、ガス配管網のうち遮断部の両側の１対のガス管末端部に両端部が連結されて、それら１対のガス管末端部を連通可能なバイパス管と、バイパス管に設けられ、通常は閉じてバイパス管を遮断している電動バルブと、１対のガス管末端部内の各ガス圧を検出するための１対の圧力センサと、１対の圧力センサの何れかで検出したガス圧が予め定められた基準値を超えて低下した場合に、電動バルブを開いてバイパス管を開通させるバルブ制御部とを備えたところに特徴を有する。
【０００７】
請求項２の発明は、請求項１に記載のガス圧監視装置において、バイパス管の中間部分に１対の分岐管を並列に設けて、一方の分岐管に電動バルブを配置する一方、他方の分岐管に通常は閉じている手動バルブを設け、ガス圧が基準値を超えて低下したことを報知するガス圧低下報知手段を備えたところに特徴を有する。
【０００８】
請求項３の発明は、請求項２に記載のガス圧監視装置において、バルブ制御部とガス圧低下報知手段とを一体化したコントローラユニットと、バイパス管に圧力センサと電動バルブとを一体化したバイパス管ユニットとを別々に設けて、それらコントローラユニットとバイパス管ユニットとの間をケーブルで連絡したところに特徴を有する。
【０００９】
請求項４の発明は、請求項１乃至３の何れかに記載のガス圧監視装置において、基準値を任意の値に設定するための基準値設定手段を備えたところに特徴を有する。
【００１０】
請求項５の発明に係るガス配管網の工事方法は、ガス配管網を構成するガス管を所定の工事施工範囲に亘って遮断して工事を行う工事実施工程の前に、工事施工範囲より短い工事施工範囲の一部でガス管を遮断して、その遮断部の両側に位置した１対のガス管末端部に、請求項１乃至４の何れかに記載のガス圧監視装置におけるバイパス管の両端部を連結し、予め設定した調査期間に亘って１対のガス管末端部の何れかのガス圧が基準値を超えて低下するか否かの事前調査を行い、調査期間中にガス圧が基準値を超えて低下した場合にのみ、工事実施工程の実施中に、ガス配管網のうち工事施工範囲を間に挟んだ２位置を代替ガス管で常時連通させるところに特徴を有する。
【００１１】
請求項６の発明に係るガス配管網の工事方法は、ガス配管網を構成するガス管を所定の工事施工範囲に亘って遮断して工事を所定の工事実施期間に亘って行うと共に、工事開始時に、工事施工範囲の両側に位置した１対のガス管末端部に、請求項１乃至４の何れかに記載のガス圧監視装置におけるバイパス管を一部に含んだ代替ガス管の両端部を連結し、工事開始時から工事実施期間の途中までに設定した調査期間に亘って、１対のガス管末端部の何れかのガス圧が基準値を超えて低下するか否かの調査を行い、調査期間中にガス圧が基準値を超えて低下した場合に、調査期間後、工事実施期間の終了まで、代替ガス管で常時開通させる一方、調査期間中にガス圧が基準値を超えて低下しなかった場合に、調査期間後、工事実施期間の終了まで、代替ガス管を撤去した状態で工事を行うところに特徴を有する。
【発明の効果】
【００１２】
［請求項１の発明］
請求項１のガス圧監視装置を使用するには、そのガス圧監視装置に備えたバイパス管の両端部をガス配管網のうち遮断部の両側に位置した１対のガス管末端部に連結する。このときバイパス管は、電動バルブにて遮断されているので、１対のガス管末端部の間では、バイパス管を通してガスが流れない状態に保持される。この状態で、所定期間に亘ってガス圧監視装置に備えた１対の圧力センサによって１対のガス管末端部内の各ガス圧を検出する。そして、所定期間中に両ガス管末端部ともガス圧が基準値を超えて低下することがなかった場合には、ガス配管網のうちガス圧監視装置のバイパス管を取り付けた部位が、遮断によりガス機器の使用が不可能にならない部位であることが推定できる。一方、所定期間中に両ガス管末端部の一方でもガス圧が基準値を超えて低下した場合には、同部位が、遮断によりガス機器の使用が不可能になる部位である、と確認することができる。
【００１３】
このように、本発明のガス圧監視装置を使用することで、ガス配管網における任意の部位が、遮断によりガス機器の使用が不可能にならない部位であるか否かを、調査することができる。そして、その調査結果を利用すれば、遮断によりガス機器の使用が不可能にならない部位に、不必要な代替ガス管を設置せずに済み、道路におけるガス管工事領域を小さくして、交通規制の緩和及び工事費の削減を図ることが可能になる。
【００１４】
［請求項２の発明］
請求項２の構成によれば、両ガス管末端部の一方でもガス圧が基準値を超えて低下したときに、電動バルブで迅速にバイパス管を開通させた後、報知に応じて手動にて手動バルブを開いて確実にバイパス管を開通させた状態に維持することができる。また、手動バルブを開いた後は、電動バルブを閉止することで電力の消費を抑えることができる。
【００１５】
［請求項３の発明］
請求項３の構成によれば、バイパス管ユニットはガス配管網の遮断部の近傍に配置する一方、そこから離れた場所にコントローラユニットを配置することができ、コントローラユニットの保護が図られると共に、作業者によるコントローラユニットの操作を比較的快適な環境下で行うことができる。
【００１６】
［請求項４の発明］
請求項４のガス圧監視装置によれば、基準値を任意の値に設定するための基準値設定手段を備えたので、基準値を経験則に基づいて任意の最適な値に設定することができる。
【００１７】
［請求項５の発明］
請求項５のガス配管網の工事方法では、工事施工範囲全体より短い工事施工範囲の一部でガス管を遮断して遮断部を設け、その遮断部の両側のガス管末端部の圧力が基準値を超えて低下するか否かの事前調査を、本発明に係るガス圧監視装置にて行うことができる。そして、調査期間中にガス圧が基準値を超えて低下した場合にのみ、工事実施工程の実施中に代替ガス管を設置し、そうでない場合には、代替ガス管を設置せずに工事を実施することができる。これにより、道路におけるガス管工事領域を小さくして、交通規制の緩和及び工事費の削減を図ることが可能になる。また、事前調査の際には、実際の工事施工範囲より短い範囲に遮断部を設けるので、事前調査のための交通規制や経費は抑えられる。
【００１８】
［請求項６の発明］
請求項６のガス配管網の工事方法では、工事実施期間のうち工事開始時に、本発明に係るガス圧監視装置におけるバイパス管を一部に含んだ代替ガス管を設置して、工事開始時から工事実施期間の途中までに設定した調査期間に亘って、ガス圧の低下を監視し、その調査期間中にガス圧が基準値を超えて低下した場合に、調査期間後、工事実施期間の終了まで、代替ガス管で常時開通させる。一方、調査期間中にガス圧が基準値を超えて低下しなかった場合には、調査期間後、工事実施期間の終了まで、代替ガス管を撤去した状態で工事を行う。これにより、代替ガス管の設置期間を短くすることができ、調査期間後のガス管工事領域が小さくなり、交通規制の緩和及び工事費の削減を図ることが可能になる。
【発明を実施するための最良の形態】
【００１９】
［第１実施形態］
以下、本発明の本実施形態について、図１〜図３に基づいて説明する。図１に示すように、本実施形態のガス圧監視装置１０は、バイパス管ユニット２０とコントローラユニット３０とをケーブル１１で接続してなる。バイパス管ユニット２０には、本発明に係るバイパス管２１が備えられている。
【００２０】
バイパス管２１は、１対の樹脂パイプ２３，２３の間を金属パイプ２２で接続した構造になっている。金属パイプ２２は、環状部２２Ａから１対の末端部２２Ｃ，２２Ｃを延ばして備え、それら末端部２２Ｃ，２２Ｃの各先端に各樹脂パイプ２３，２３の基端部がそれぞれ接続されている。環状部２２Ａは、略長方形の枠状になっており、その略長方形における１対の長辺は、水平方向に延びかつ上下に並べて配置され、１対の短辺は上下に延びている。そして、１対の末端部２２Ｃ，２２Ｃが、例えば、環状部２２Ａにおける下側の長辺部分の延長線上に延びている。
【００２１】
環状部２２Ａのうち下側の長辺部分は、本発明に係る一方の分岐管２２Ｂを構成し、上側の長辺部分と１対の短辺とは、本発明に係る他方の分岐管２２Ｂを構成している。即ち、金属パイプ２２は、１対の末端部２２Ｃ，２２Ｃの間に、本発明に係る１対の分岐管２２Ｂ，２２Ｂを並列接続した構造になっている。そして、一方の分岐管２２Ｂの途中に手動バルブ２４が設けられ、他方の分岐管２２Ｂの途中に電動バルブ２５が設けられている。なお、手動バルブ２４は、環状部２２Ａのうち下側の長辺部分の途中に配置され、電動バルブ２５は、環状部２２Ａのうち上側の長辺部分における手動バルブ２４の真上に配置されている。
【００２２】
手動バルブ２４は、例えば、ボールバルブであって、外面上部にハンドル２４Ｈを備えている。ハンドル２４Ｈは、全体が水平方向に延び、一端部を中心にして水平に回動する。そして、例えば、ハンドル２４Ｈを環状部２２Ａの長辺部分と平行に延ばした位置に配置すると手動バルブ２４が開き、そこからハンドル２４Ｈを９０度回動すると手動バルブ２４が閉まる。
【００２３】
電動バルブ２５は、例えば電磁弁であって通常は閉じており、通電すると開き、通電を止めると閉じる。また、バイパス管ユニット２０には、電動バルブ２５に通電するためのバッテリー２６が備えられている。そして、図２に示すように、バッテリー２６がリレー２６Ｓを介して電動バルブ２５に接続され、リレー２６Ｓはコントローラユニット３０によりオンオフ制御される。
【００２４】
金属パイプ２２の環状部２２Ａにおける短辺部分には、それぞれ圧力センサ２７，２７が取り付けられている。これにより、手動バルブ２４及び電動バルブ２５を閉じた状態で、それら手動バルブ２４及び電動バルブ２５によって２分された金属パイプ２２内のガス圧を検出することができる。
【００２５】
１対の樹脂パイプ２３，２３は、ポリエチレン製であって、螺旋状の補強線材を有した蛇腹構造になっている。そして、前述の通り、各樹脂パイプ２３，２３の基端部が金属パイプ２２のうち両末端部２２Ｃ，２２Ｃの先端部に連結されてバイパス管２１が構成されている。
【００２６】
各樹脂パイプ２３の先端部には、例えば、図２に示した雄側パイプジョイント２３Ｊが取り付けられている。雄側パイプジョイント２３Ｊは、図示しない雌側パイプジョイントにワンタッチで着脱可能な公知な構造になっている。具体的には、雄側パイプジョイント２３Ｊは、パイプ部の外周に直動スリーブを備え、その直動スリーブがバネによってパイプ部の先端側に付勢されている。一方、雌側パイプジョイントは、常閉の弁を内蔵している。そして、雌側パイプジョイントの内側に雄側パイプジョイント２３Ｊを押し込むと、雌側パイプジョイントと雄側パイプジョイント２３Ｊとが離脱不能に連結されると共に雌側パイプジョイントの弁が開放する。また、直動スリーブをバネに抗して引くと、雌側パイプジョイントと雄側パイプジョイント２３Ｊとが離脱する共に、雌側パイプジョイントの弁が閉じる。即ち、雄側パイプジョイント２３Ｊと雌側パイプジョイントとは、家庭用のガス栓とガスホースとを接続するための公知なワンタッチジョイントと同様の構造になっている。
【００２７】
上記した金属パイプ２２は、図１に示した台車２８に固定されている。台車２８は、矩形平板状のベース板２８Ａの下面四隅に車輪２８Ｂを備えると共に、ベース板２８Ａの上面から１対のアングル材２８Ｃ，２８Ｃが起立した構造になっている。そして、そのアングル材２８Ｃ，２８Ｃに金属パイプ２２の環状部２２Ａにおける上側長辺部分の両端部が固定されると共に、下側長辺部分がベース板２８Ａに固定されている。また、バッテリー２６は、ベース板２８Ａに固定されている。
【００２８】
コントローラユニット３０は、外側全体が直方体状のケース３１にて覆われている。ケース３１の一側面は操作パネル３１Ｐになっており、その操作パネル３１Ｐには、モニタ３６、警報用のＬＥＤ３７、スピーカ３５、基準値設定摘み４０、開ボタン４１及び閉ボタン４２が取り付けられている。なお、モニタ３６とＬＥＤ３７とスピーカ３５は、本発明の「ガス圧低下報知手段」に相当する。
【００２９】
図２に示すように、ケース３１の内部には、本発明の「バルブ制御部」に相当するマイクロコンピュータ３２（以下、「マイコン３２」という）が備えられている。マイコン３２には、入力インターフェース回路３３Ａを介して、スピーカ３５及びモニタ３６の駆動回路（図示せず）、ＬＥＤ３７、さらには、バイパス管ユニット２０の圧力センサ２７，２７が接続されている。また、マイコン３２には、出力インターフェース回路３３Ｂを介して、基準値設定摘み４０、開ボタン４１及び閉ボタン４２、さらには、バイパス管ユニット２０のリレー２６Ｓが接続されている。また、ＥＥＰＲＯＭ３４もマイコン３２に接続されている。そして、操作パネル３１Ｐに備えた図示しない起動スイッチをオンすると、ケース３１内の電池３８（例えば、４個直列の電池）の出力を昇圧回路３９が昇圧して各回路に給電する。
【００３０】
マイコン３２は、起動すると、ＥＥＰＲＯＭ３４に記憶されている信号処理プログラムを実行し、所定周期（例えば、０．２［ｓｅｃ］）で圧力センサ２７，２７の検出結果を取り込む。そして、マイコン３２は、圧力センサ２７，２７が検出したガス圧の時間的な推移をモニタ３６に表示すると共に、ＥＥＰＲＯＭ３４に記憶されている所定の基準値と、圧力センサ２７，２７が検出したガス圧とを比較する。ここで、圧力センサ２７，２７が検出した少なくとも一方のガス圧が基準値を超えて低下した場合には、マイコン３２は、リレー２６Ｓをオンして電動バルブ２５を開くと共に、スピーカ３５から報知音を出力させ、さらに、警報用のＬＥＤ３７を点灯させる。
【００３１】
また、マイコン３２は、基準値設定摘み４０の操作に応じて前記基準値を変更してＥＥＰＲＯＭ３４に更新記憶する。本実施形態では、これら基準値設定摘み４０とマイコン３２とによって、本発明に係る「基準値設定手段」が構成されている。
【００３２】
さらに、マイコン３２は、圧力センサ２７，２７が検出したガス圧の大小に拘わらず、開ボタン４１の操作に応じて、リレー２６Ｓをオンして電動バルブ２５を強制的に開くと共に、閉ボタン４２の操作に応じて、電動バルブ２５を強制的に閉じる。これにより、電動バルブ２５の動作確認や、異常時におけるマニュアル操作での対応が可能になっている。
【００３３】
本実施形態のガス圧監視装置１０の構成に係る説明は以上である。次に、本実施形態のガス圧監視装置１０の作用効果について説明する。ガス配管網を構成するガス管４５の一部を遮断して工事を行う場合、ガス圧監視装置１０を使用するには、工事用に遮断された遮断部４６の両側の１対のガス管末端部４７，４７に、前述した雌側パイプジョイント（図示せず）をそれぞれ取り付けておく。そして、それら雌側パイプジョイントにガス圧監視装置１０の雄側パイプジョイント２３Ｊ，２３Ｊを連結することで、図３（Ａ）に示すように、１対のガス管末端部４７，４７にバイパス管２１の両端部を接続する。このとき、バイパス管２１は、手動バルブ２４及び電動バルブ２５にて遮断されているので、１対のガス管末端部４７，４７の間では、バイパス管２１を通してガスは流れない。また、バイパス管２１内の空間のうち手動バルブ２４及び電動バルブ２５より一端側は一方のガス管末端部４７と連通し、他端側は他方のガス管末端部４７と連通するので、それら各ガス管末端部４７，４７内のガス圧を、ガス圧監視装置１０に備えた圧力センサ２７，２７にて検出可能な状態になる。
【００３４】
この状態で、ガス圧監視装置１０は、所定期間（例えば、２４時間）に亘って１対のガス管末端部４７，４７の何れかのガス圧が基準値を超えて小さくなるか否かを監視する。そして、１対のガス管末端部４７，４７の少なくとも一方のガス圧が基準値を超えて小さくなった場合に、マイコン３２が、リレー２６Ｓをオンして電動バルブ２５を開き、バイパス管２１を開通させる。ここで、ガス圧が基準値を超えて小さくなったても、バイパス管２１を開通させないとすると、ガス配管網に連なるガス器具でガスの使用が不可能になるが、本実施形態のガス圧監視装置１０を使用すれば、そのような事態を回避することができる。また、ガス圧監視装置１０は、図３（Ｂ）に示すように、電動バルブ２５を開くと共にスピーカ３５から報知音を出力すると共に、警報用のＬＥＤ３７を点灯する。これにより、作業者が手動にて手動バルブ２４を開いて確実にバイパス管２１を開通させた状態に維持することができる。そして、手動バルブ２４を開いた後は、閉ボタン４２を操作して電動バルブ２５を閉止することで、バッテリー２６の電力の消費を抑えることができる。
【００３５】
一方、所定期間に亘って１対のガス管末端部４７，４７の両方のガス圧が基準値より高く保持されている場合には、ガス圧監視装置１０は、電動バルブ２５を閉じた状態に維持する。また、この場合は、ガス配管網を遮断部４６で遮断しても、ガス配管網に連なるガス器具によるガス使用は可能であると推定することができる。即ち、本実施形態のガス圧監視装置１０によれば、ガス配管網における任意の部位が、遮断によってガス使用が不可能になる部位であるか否かを調査することができる。そして、その調査結果を利用すれば、ガス管の遮断によってガスの使用が不可能にならない部位に、不必要な代替ガス管のバイパスを設置せずに済み、道路におけるガス管工事領域を小さくして、交通規制の緩和及び工事費の削減を図ることが可能になる。
【００３６】
また、本実施形態のガス圧監視装置１０は、バイパス管ユニット２０とコントローラユニット３０とをケーブル１１で連絡した構造になっているので、バイパス管ユニット２０はガス管４５の遮断部４６の近傍に配置する一方、そこから離れた場所にコントローラユニット３０を配置することができる。これにより、コントローラユニット３０の保護が図られると共に、作業者によるコントローラユニット３０の操作を比較的快適な環境下で行うことができる。その上、１対の圧力センサ２７，２７の検出結果と比較する基準値を基準値設定摘み４０の操作にて任意の値に変更することができるので、経験則に基づいて任意の最適な基準値を設定することができる。
【００３７】
［第２実施形態］
本実施形態は、図４〜図６に示されており、図４（Ａ）には、ガス配管網５０の一部が模式的に示されている。このガス配管網５０には、例えば、環状をなした基幹路ガス管５２が備えられ、その基幹路ガス管５２から複数の分岐路ガス管５２Ｘが延びている。そして、ガスを供給するガス会社５１が基幹路ガス管５２に接続されると共に、ガスを使用する複数の住宅５８や複数の工場５９等が、基幹路ガス管５２又は分岐路ガス管５２Ｘに接続されている。また、基幹路ガス管５２における複数箇所には、メンテナンス、追加工事等のために複数のバルブ５２Ａ，５２Ｂ，５２Ｃ，・・（以下、「設備バルブ５２Ａ，５２Ｂ，５２Ｃ，・・」という）が備えられている。
【００３８】
本実施形態では、図４（Ｂ）に示すように、基幹路ガス管５２の一部である補修範囲Ｌ１（例えば、５〜２０［ｍ］）を、新規のガス管に取り替えると共に、その新規のガス管に複数の分岐路ガス管５３，５４を接続する工事を行う場合を一例に挙げて、本発明に係るガス配管網の工事方法について説明する。
【００３９】
本実施形態のガス配管網の工事方法では、先ず、前記第１実施形態で説明したガス圧監視装置１０を用いて事前調査を行う。そのために、ガス配管網５０のうち工事施工範囲の全体より短い一部を遮断して遮断部４６（図５（Ａ）参照）を設ける。ここで、本実施形態では、基幹路ガス管５２に、例えば、補修範囲Ｌ１を間に挟んだ好適な２位置に設備バルブ５２Ａ，５２Ｃが備えられ、補修範囲Ｌ１内に１つの設備バルブ５２Ｂが備えられているとする。この場合、補修範囲Ｌ１の両外側の２位置の設備バルブ５２Ａ，５２Ｃの間が、最大の工事施工範囲と考えればよい。そして、補修範囲Ｌ１に含まれる設備バルブ５２Ｂを閉めることで、その設備バルブ５２Ｂを上記遮断部４６とすればよい。なお、設備バルブ５２Ａ，５２Ｂ，５２Ｃが備えられていなければ、事前調査用にバルブや遮断部を基幹路ガス管５２に設ければよい。
【００４０】
遮断部４６を設けたら、次いで、図５（Ａ）に示すように、遮断部４６の両側の１対のガス管末端部４７，４７に、ガス圧監視装置１０におけるバイパス管２１の両端部を接続する。そのために、補修範囲Ｌ１の両外側の２位置の設備バルブ５２Ａ，５２Ｃを閉じ、例えば、１対のガス管末端部４７，４７に前記第１実施形態と同様の雌形パイプジョイントを取り付ける。そして、図３（Ａ）に示すように、バイパス管２１の両端部の雄側パイプジョイント２３Ｊ，２３Ｊをガス管末端部４７，４７に連結してから、設備バルブ５２Ａ，５２Ｃを開く。このとき、バイパス管２１は、手動バルブ２４及び電動バルブ２５にて遮断されているので、１対のガス管末端部４７，４７の間では、バイパス管２１を通してガスが流れない状態に保持される。
【００４１】
この状態で、ガス圧監視装置１０により、予め設定した調査期間（例えば、２４時間）に亘って１対のガス管末端部４７，４７の何れかのガス圧が基準値を超えて低下するか否かの事前調査を行う。そして、１対のガス管末端部４７，４７の少なくとも一方のガス圧が基準値を超えて小さくなった場合には、前記第１実施形態と同様に、ガス圧監視装置１０は、電動バルブ２５を迅速に開き、バイパス管２１を開通させる。これにより、ガス管末端部４７，４７の間が連通し、ガス配管網５０に連なる住宅５８、工場５９等でガスが使用不能になる事態を回避することができる。また、ガス圧監視装置１０は、スピーカ３５から報知音を出力すると共に、警報用のＬＥＤ３７を点灯する。これにより、作業者が手動にて手動バルブ２４を開いて確実にバイパス管２１を開通させた状態に維持することができる。そして、手動バルブ２４を開いた後は、電動バルブ２５を閉止することで、バッテリー２６の電力の消費を抑えることができる。
【００４２】
また、上述の如く、調査期間中にガス圧が基準値を超えて小さくなったことにより、前記工事施工範囲を遮断することで、ガス配管網５０に連なる住宅５８、工場５９等でガスが使用不能になるという結論を得ることができる。この場合、事前調査後の工事実施工程中は、図６（Ａ）に示すように、１対のガス管末端部４７，４７の間を代替ガス管６１で常時連通させた状態にする。具体的には、まず、代替ガス管６１を設置するために、その代替ガス管６１の配置領域を考慮して安全柵９０を設置し、必要に応じて交通規制を行う。その状態で、例えば、補修範囲Ｌ１の両外側の設備バルブ５２Ａ，５２Ｃを閉じる。そして、一方の設備バルブ５２Ａの近傍かつ補修範囲Ｌ１側に工事用バルブ６０Ａを設けてその工事用バルブ６０Ａを閉じると共に、他方の設備バルブ５２Ｃの近傍かつ補修範囲Ｌ１側に工事用バルブ６０Ｂを設けてその工事用バルブ６０Ｂを閉じる。次いで、設備バルブ５２Ａと工事用バルブ６０Ａとの間に代替ガス管６１の一方を接続し、設備バルブ５２Ｃと工事用バルブ６０Ｂとの間に代替ガス管６１の他方を接続してから、設備バルブ５２Ａ，５２Ｃを開く。これにより、１対のガス管末端部４７，４７の間が代替ガス管６１によって常時連通された状態になる。
【００４３】
図６（Ｂ）に示すように、基幹路ガス管５２の補修範囲Ｌ１を、新規のガス管に取り替えると共に、その新規のガス管への複数の分岐路ガス管５３，５４の接続が終了したら、設備バルブ５２Ａ，５２Ｂを閉じて代替ガス管６１を撤去した後、設備バルブ５２Ａ，５２Ｂ及び工事用バルブ６０Ａ，６０Ｂを開く。そして、安全柵９０を撤去し、工事が完了する。
【００４４】
一方、上記した調査期間中にガス圧が基準値を超えて低下しなかった場合には、代替ガス管６１を設置せずに工事を実施することができる。即ち、図５（Ｂ）に示すように、設備バルブ５２Ａ，５２Ｂを閉じ、代替ガス管６１の配置領域を考慮せずに安全柵９０を設置し、必要に応じて交通規制を行えばよい。その状態で、例えば、補修範囲Ｌ１の両外側の設備バルブ５２Ａ，５２Ｃを閉じる。次いで、図４（Ｂ）に示すように、基幹路ガス管５２の補修範囲Ｌ１を、新規のガス管に取り替えると共に、その新規のガス管への複数の分岐路ガス管５３，５４の接続が終了したら、設備バルブ５２Ａ，５２Ｂを開き、安全柵９０を撤去して、工事が完了する。このように、ガス圧監視装置１０を用いた事前調査により、代替ガス管６１を設けずに済んだことで、道路におけるガス管工事領域を小さくして、安全柵９０も少なくすることができ、交通規制の緩和、工事費の削減、工事期間の短縮を図ることが可能になる。また、事前調査は、実際の工事施工範囲より短い範囲でガス管を遮断するだけでよいので、事前調査のための交通規制や経費は抑えられる。
【００４５】
［第３実施形態］
次に、図７を参照しつつ、前記第２実施形態と同様の工事を、第２実施形態とは別のガス配管網の工事方法で行う実施形態について説明する。本実施形態のガス配管網の工事方法では、事前調査は行わず、工事期間における初期段階に工事を並行して調査を行う。即ち、基幹路ガス管５２の工事を、数日間に亘る工事実施期間で行う場合、工事開始時に、図７（Ａ）に示すように、ガス圧監視装置１０のバイパス管２１を一部に含んだ代替ガス管６１Ｗを基幹路ガス管５２に接続する。その代替ガス管６１Ｗの接続方法に関しては、前記第２実施形態の代替ガス管６１の接続と同様である。そして、工事開始時から工事実施期間の途中までに設定した調査期間（例えば、２４時間）に亘って、１対のガス管末端部４７，４７の何れかのガス圧が基準値を超えて低下するか否かの調査を行う。その調査期間中にガス圧が基準値を超えて低下した場合には、調査期間後、工事実施期間の終了まで、代替ガス管６１Ｗで常時開通させる。一方、調査期間中にガス圧が前記基準値を超えて低下しなかった場合には、調査期間後、工事実施期間の終了まで、図７（Ｂ）に示すように、代替ガス管６１Ｗを撤去した状態で工事を行う。これにより、代替ガス管６１Ｗの設置期間を短くすることができ、調査期間後に道路におけるガス管工事領域を小さくし、交通規制の緩和及び工事費の削減を図ることが可能になる。
【００４６】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）前記実施形態のガス圧監視装置１０には、バイパス管２１の中間部分に電動バルブ２５と手動バルブ２４とを並列に設けた構造になっていたが、電動バルブ２５のみを備え、手動バルブ２４を排除した構造であってもよい。
【００４８】
（２）前記実施形態のガス圧監視装置１０は、バイパス管ユニット２０がバッテリー２６を備えていたが、バッテリー２６をコントローラユニット３０に設けた構成にしてもよい。
【図面の簡単な説明】
【００４９】
【図１】本発明の第１実施形態に係るガス圧監視装置の斜視図
【図２】ガス圧監視装置の回路図
【図３】ガス圧監視装置をガス管に取り付けた状態の概念図
【図４】第２実施形態のガス配管網の概念図
【図５】ガス配管網の概念図
【図６】ガス配管網の概念図
【図７】第３実施形態のガス配管網の概念図
【符号の説明】
【００５０】
１０    ガス圧監視装置
１１    ケーブル
２０    バイパス管ユニット
２１    バイパス管
２２Ｂ  分岐管
２４    手動バルブ
２５    電動バルブ
２７    圧力センサ
３０    コントローラユニット
３２    マイコン（バルブ制御部，基準値設定手段）
３５    スピーカ（ガス圧低下報知手段）
３６    モニタ（ガス圧低下報知手段）
３７    ＬＥＤ（ガス圧低下報知手段）
４０    基準値設定摘み（基準値設定手段）
４６    遮断部
４７    ガス管末端部
５０    ガス配管網
６１，６１Ｗ    代替ガス管
９０    安全柵
【図１】
2010096226.tif 000003
【図２】
2010096226.tif 000004
【図３】
2010096226.tif 000005
【図４】
2010096226.tif 000006
【図５】
2010096226.tif 000007
【図６】
2010096226.tif 000008
【図７】
2010096226.tif 000009